(57)【要約】【課題】操作面が正面側を向くように自立可能な構成とすることによって、専用の収納スタンドまたはポケットを不要とし、もって、余分なコストの発生を阻止すること。【解決手段】本発明は、遠隔から操作信号を送信して対象機器を操作するリモートコントローラ１０であって、操作ボタンが配置された操作面４０が、略水平面４２に対してほぼ垂直になるように略水平面４２に自立させることが可能な自立面４４を備えている。【選択図】      図２
2005311519.tif 000002
【特許請求の範囲】
【請求項１】
遠隔から操作信号を送信して対象機器を操作するリモートコントローラであって、
操作ボタンが配置された操作面が、略水平面に対してほぼ垂直になるように前記略水平面に自立させることが可能な自立面を備えたリモートコントローラ。
【請求項２】
請求項１に記載のリモートコントローラにおいて、
重心と前記自立面の中心とをほぼ一致させるようにしたリモートコントローラ。
【請求項３】
請求項１に記載のリモートコントローラにおいて、
リモートコントローラ自体の動作電力を供給する電池を収納する収納部を前記自立面側に備え、この収納部に前記電池を収納した状態で、重心と前記自立面の中心とをほぼ一致させるようにしたリモートコントローラ。
【請求項４】
請求項１乃至３のうち何れか１項に記載のリモートコントローラにおいて、
前記自立面を前記略水平面上に配置することによって自立させた場合、前記操作面を含む面と、前記略水平面とのなす角度を８０°以上９０°以下になるようにしたリモートコントローラ。
【発明の詳細な説明】
【技術分野】
【０００１】
本発明は、ホテルや旅館等の宿泊施設、あるいは病院施設等で、不特定多数の利用者が利用するデジタルテレビ放送受信装置やコンピュータ等を遠隔操作するためのリモートコントローラに関する。
【背景技術】
【０００２】
ホテルや旅館等の宿泊施設、あるいは病院施設等で、地上波テレビ放送やＢＳ・１１０°ＣＳデジタル放送あるいは地上波デジタル放送を受信する受信装置やコンピュータ等には、電源のオン・オフ、チャンネルの選局、コンピュータの操作などを行う手段として移動可能な赤外線方式のリモートコントローラが用いられている。
【０００３】
図５にその正面図を示すように、この種のリモートコントローラ６０の一般的な形状は、平面状の長方形である。このようなリモートコントローラ６０が、机やテーブル等の略水平面上に、操作ボタンが配置された操作面６２が上を向くように載置されている場合、不特定多数の利用者が、客室や病室といった初めての場所で使用しようとしても、どこにあるのかを視覚的に把握するのは容易ではない。
【０００４】
このため、リモートコントローラ６０は、使用していない時には専用の収納スタンドに、操作面６２が正面側を向くように立てられている。あるいは、受信装置やコンピュータの使用方法や、テレビ番組ガイドなどのリーフレットと、リモートコントローラ６０とを一体的に収納するポケットを受信装置やコンピュータに固定し、そのポケットの中に、操作面６２が正面側を向くように立てて置かれている。これによって、リモートコントローラ６０の位置が分かりやすいように配慮されている。
【特許文献１】特開平６−２５３１９５号公報
【発明の開示】
【発明が解決しようとする課題】
【０００５】
しかしながら、このような従来のリモートコントローラ６０では、上述したように、専用の収納スタンドまたはポケットが必要となり、余分なコストがかかってしまうという問題がある。
【０００６】
本発明はこのような事情に鑑みてなされたものであり、操作面が正面側を向くように自立可能な構成とすることによって、専用の収納スタンドまたはポケットを不要とし、もって、余分なコストの発生を阻止することが可能なリモートコントローラを提供することを目的とする。
【０００７】
なお、特許文献１には、これに関連する技術として、カメラ一体型ビデオテープレコーダのモニタテレビジョン内蔵リモートコントローラにおいて、モニタ内蔵リモコンの本体に、収納および回転可能に取付部を設け、モニタ内蔵リモコン本体の背面に、カバーを開閉可能に設け、カバーを開いてモニタ内蔵リモコンを自立させる技術が公開されている。
【課題を解決するための手段】
【０００８】
上記の目的を達成するために、本発明では、以下のような手段を講じる。
【０００９】
すなわち、請求項１の発明は、遠隔から操作信号を送信して対象機器を操作するリモートコントローラであって、操作ボタンが配置された操作面が、略水平面に対してほぼ垂直になるように略水平面に自立させることが可能な自立面を備えている。
【００１０】
従って、請求項１の発明のリモートコントローラにおいては、以上のような手段を講じることにより、自立面を机やテーブル等の略水平面上に載置することによって、操作面が正面側を向くように自立することができる。その結果、専用の収納スタンドまたはポケットを不要とし、もって、余分なコストの発生を阻止することが可能となる。
【００１１】
請求項２の発明は、請求項１の発明のリモートコントローラにおいて、重心と自立面の中心とをほぼ一致させるようにしている。
【００１２】
従って、請求項２の発明のリモートコントローラにおいては、以上のような手段を講じることにより、安定した状態で自立することができる。
【００１３】
請求項３の発明は、請求項１の発明のリモートコントローラにおいて、リモートコントローラ自体の動作電力を供給する電池を収納する収納部を自立面側に備え、この収納部に電池を収納した状態で、重心と自立面の中心とをほぼ一致させるようにしている。
【００１４】
従って、請求項３の発明のリモートコントローラにおいては、以上のような手段を講じることにより、電池の重量を利用することによって、効果的に安定した状態で自立することができる。
【００１５】
請求項４の発明は、請求項１乃至３のうち何れか１項の発明のリモートコントローラにおいて、自立面を略水平面上に配置することによって自立させた場合、操作面を含む面と、略水平面とのなす角度を８０°以上９０°以下になるようにしている。
【００１６】
従って、請求項４の発明のリモートコントローラにおいては、以上のような手段を講じることにより、操作面が正面側を向くように自立させることができる。その結果、不特定多数の利用者が、客室や病室といった初めての場所で使用しようとした場合、リモートコントローラがどこにあるのかを容易に把握することができる。
【発明の効果】
【００１７】
本発明によれば、操作面が正面側を向くように自立可能な構成とすることによって、専用の収納スタンドまたはポケットを不要とし、もって、余分なコストの発生を阻止することが可能なリモートコントローラを実現することができる。
【発明を実施するための最良の形態】
【００１８】
以下に、本発明を実施するための最良の形態について図面を参照しながら説明する。
【００１９】
図１は、本発明の実施の形態に係るリモートコントローラ１０の外観例を示す正面図である。
【００２０】
すなわち、本発明の実施の形態に係るリモートコントローラ１０の正面は操作面４０となっている。この操作面４０には、図示しないデジタルテレビ放送受信装置を制御する機能として電源ボタン１１、チャンネル選局を行うための数字ボタン１２、テレビ画像またはコンピュータ画像を出力するかの切換を行うＰＣ／テレビ切換ボタン１３、上記デジタルテレビ放送受信装置などの画面上に表示されるポインタの位置の移動方向を指示するための４つの方向指示ボタン１４（＃１〜＃４）、地上波デジタル放送、ＢＳデジタル放送、およびＣＳデジタル放送の選局時に切り換える放送切換ボタン１６、音量をアップダウンで調節する音量ボタン１７、無料放送をアップダウンで選局する無料チャンネルボタン１８、有料放送をアップダウンで選局する有料チャンネルボタン１９、有料であることを了承する場合に押印するための有料確認ボタン２０、図示しないコンピュータなどを操作するポインティングデバイスであるトラックボール１５などに加え、表示ボタン２１、オフタイマーボタン２２、映像切換ボタン２３、メッセージボタン２４、音声切換ボタン２５、ペアレントロックボタン２６、字幕ボタン２７、決定ボタン２８、番組情報ボタン２９、番組表ボタン３０、戻りボタン３１、ミュートボタン３２、サラウンドボタン３３、ズームボタン３４、入力切換ボタン３５等の各操作ボタンを備えている。また、上端部には、これら各操作ボタンが操作された場合に操作信号を赤外線で発光する投光部５６を埋め込んでいる。
【００２１】
図２は、図１に示すリモートコントローラ１０の右側面図である。
【００２２】
図２に示すように、同実施の形態に係るリモートコントローラ１０は、机やテーブル４１等の略水平な載置面４２の上に、上記各操作ボタンが配置された操作面４０が正面側を向いて自立することができるような自立面４４を底部に備えている。この自立面４４からなる底部の面積は、操作面４０をその直交する方向に沿って切断して得られる何れの断面の面積よりも広くなっており、この自立面４４の中心と、リモートコントローラ１０の重心とを一致させるようにしている。これによって、リモートコントローラ１０は、その自立面４４を載置面４２上に載置した場合に、操作面４０が、正面を向くように、好ましくは載置面４２に対してほぼ垂直になるように安定して自立する。
【００２３】
自立面４４の中心と、リモートコントローラ１０の重心とを一致させる一つの方法としては、図２に示すように、自立させた場合に、操作面４０を、載置面４２に対する法線方向に対して僅かな傾斜角Ａで傾斜させることが効果的である。
【００２４】
この傾斜角Ａは、例えば１０°以下にすること、すなわち操作面４０と載置面４２とのなす角度（９０−Ａ）°が、８０°以上９０°以下にすることが好ましい。１０°以上になると、自立させた場合でも、リモートコントローラ１０の位置が分かりにくくなる可能性があるからである。
【００２５】
自立面４４の中心と、リモートコントローラ１０の重心とを一致させるもう一つの方法としては、図２に示すように、リモートコントローラ１０の動作電力を供給する電池４６を収納する電池収納部４８を自立面４４側に備え、この電池収納部４８に電池４６を収納し、電池４６の重量を利用することである。４９は、電池蓋である。
【００２６】
同実施の形態に係るリモートコントローラ１０では、図２に示すように、操作面４０を、載置面４２に対する法線方向に対して僅かに傾斜させることと、自立面４４側に電池４６を収納することとの両方の方法を兼ね備えることによって、効果的に自立面４４の中心と、リモートコントローラ１０の重心とを一致させている。
【００２７】
なお、自立面４４の中心と、リモートコントローラ１０の重心とを一致させる方法は、必ずしも上記両方の方法を兼ね備える必要はなく、いずれか一方で実現しても構わない。
【００２８】
更に、リモートコントローラ１０の背面側は、トラックボール１５が設けられた高さに、操作面４０を軸としてトラックボール１５の凹凸と略対称になるように湾曲加工された凸部５０を備えるとともに、上端側にも湾曲形状に加工された凸部５２を備えている。更にまた、下部側５４もまた湾曲加工することによって、自立面４４がリモートコントローラ１０に連続的に滑らかに一体化して備えられるようにしている。これによって、リモートコントローラ１０を手で持った場合の操作性が損なわれないようにしている。
【００２９】
図３は、図１に示すリモートコントローラ１０を底面側から見た図、すなわち、自立面４４を正面から見た図である。自立面４４は、自立可能な必要最低限度の面積を有し、電池収納部４８に収納された電池４６を抑えるための着脱可能な電池蓋４９を備えている。
【００３０】
図４は、図１に示すリモートコントローラ１０を上端側から見た図である。
【００３１】
次に、以上のように構成した本発明の実施の形態に係るリモートコントローラの作用について説明する。
【００３２】
すなわち、同実施の形態に係るリモートコントローラ１０には、机やテーブル４１等の略水平な載置面４２の上に、上記各操作ボタンが配置された操作面４０が正面側を向いて自立することができるような自立面４４が底部に備えられている。
【００３３】
この自立面４４からなる底部の面積は、操作面４０をその直交する方向に沿って切断して得られる何れの断面の面積よりも広くなっており、かつ、操作面４０を載置面４２に対する法線方向に対して僅かな傾斜角Ａで傾斜させたり、電池収納部４８を自立面４４側に備え、この電池収納部４８に電池４６を収納し、電池４６の重量を利用することによって自立面４４の中心と、リモートコントローラ１０の重心との一致が図られている。なお、自立面４４の中心と、リモートコントローラ１０の重心とを一致させる方法は、必ずしも上記両方の方法を兼ね備える必要はなく、いずれか一方で実現しても構わない。
【００３４】
これによって、自立面４４の中心に重心が生まれ、前後左右の安定感が生じ、自立可能な最小限の面積で効果的に自立させることが可能となる。
【００３５】
上述したように、本発明の実施の形態に係るリモートコントローラ１０においては、上記のような作用により、専用の収納スタンドまたはポケットを必要とせずとも、操作面４０が正面側を向くように自立することが可能となる。
【００３６】
その結果、専用の収納スタンドやポケットが不要となり、余分なコストの発生を阻止することが可能となる。
【００３７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００３８】
【図１】本発明の実施の形態に係るリモートコントローラの外観例を示す正面図。
【図２】図１に示すリモートコントローラの右側面図。
【図３】図１に示すリモートコントローラの底面図。
【図４】図１に示すリモートコントローラの上面図。
【図５】従来技術のリモートコントローラの外観例を示す正面図。
【符号の説明】
【００３９】
１０…リモートコントローラ、１１…電源ボタン、１２…数字ボタン、１３…テレビ切換ボタン、１４…方向指示ボタン、１５…トラックボール、１６…放送切換ボタン、１７…音量ボタン、１８…無料チャンネルボタン、１９…有料チャンネルボタン、２０…有料確認ボタン、２１…表示ボタン、２２…オフタイマーボタン、２３…映像切換ボタン、２４…メッセージボタン、２５…音声切換ボタン、２６…ペアレントロックボタン、２７…字幕ボタン、２８…決定ボタン、２９…番組情報ボタン、３０…番組表ボタン、３１…戻りボタン、３２…ミュートボタン、３３…サラウンドボタン、３４…ズームボタン、３５…入力切換ボタン、４０…操作面、４２…載置面、４４…自立面、４６…電池、４８…電池収納部、４９…電池蓋、５０…凸部、５２…凸部、５４…下部側、５６…投光部
【図１】
2005311519.tif 000003
【図２】
2005311519.tif 000004
【図３】
2005311519.tif 000005
【図４】
2005311519.tif 000006
【図５】
2005311519.tif 000007